(57)【要約】  立体映像表示装置は、複数の色の副画素を有する複数の表示画素を二次元状に配列した表示素子と、表示素子の前方に設けられた複数のマイクロレンズを有するマイクロレンズアレイと、複数の色の副画素からの光束の進行方向を変えてマイクロレンズを介して略同一の位置に結像する光学素子と、を備える。
2013172233.tif 000002
【特許請求の範囲】
【請求項１】
複数の色の副画素を有する複数の表示画素を二次元状に配列した表示素子と、
前記表示素子の前方に設けられた複数のマイクロレンズを有するマイクロレンズアレイと、
前記複数の色の副画素からの光束の進行方向を変えて前記マイクロレンズを介して略同一の位置に結像する光学素子と、
を備える立体映像表示装置。
【請求項２】
請求項１に記載の立体映像表示装置において、
前記光学素子は、前記複数のマイクロレンズと一体に形成される立体映像表示装置。
【請求項３】
請求項２に記載の立体映像表示装置において、
前記光学素子は、前記複数のマイクロレンズの裏面に形成された複数のプリズムである立体映像表示装置。
【請求項４】
請求項２に記載の立体映像表示装置において、
前記光学素子は、各々が偏心配置された前記複数のマイクロレンズである立体映像表示装置。
【請求項５】
請求項２に記載の立体映像表示装置において、
前記光学素子は、各々が偏心配置された前記複数のマイクロレンズであり、
前記複数のマイクロレンズの各々は、フレネルレンズである立体映像表示装置。
【請求項６】
請求項５に記載の立体映像表示装置において、
前記複数のマイクロレンズの各々は、球面レンズとプリズムとの合成非球面のフレネルレンズである立体映像表示装置。
【請求項７】
請求項１〜５のいずれか一項に記載の立体映像表示装置において、
前記複数のマイクロレンズの各々は、非球面レンズである立体映像表示装置。
【請求項８】
請求項１〜６のいずれか一項に記載の立体映像表示装置において、
前記光学素子を前記表示面の近傍に設けた立体映像表示装置。
【発明の詳細な説明】
【技術分野】
【０００１】
本発明は、立体映像表示装置に関する。
【背景技術】
【０００２】
従来、三次元画像を表示する技術として、インテグラルフォトグラフィ方式が知られている。例えば特許文献１には、複数の表示画素が二次元状に配列され、表示用画像データに応じて複数の表示画素から光束を射出する液晶表示器や有機ＥＬ表示器等の表示装置と、複数の表示画素から射出された光束が合成されて三次元像を形成する複数のマイクロレンズが二次元状に配列されたマイクロレンズアレイとを備える画像表示装置が記載されている。
【先行技術文献】
【特許文献】
【０００３】
【特許文献１】日本国特開２０１２−２２３０７号公報
【発明の概要】
【発明が解決しようとする課題】
【０００４】
特許文献１に記載されている画像表示装置には、１つの画素（ピクセル）を複数の色のサブピクセルで構成する液晶表示器や有機ＥＬ表示器を用いているため、それら各サブピクセルの色が分離して見える、いわゆる色モアレ現象が発生する場合があった。
【課題を解決するための手段】
【０００５】
本発明の第１の態様によると、立体映像表示装置は、複数の色の副画素を有する複数の表示画素を二次元状に配列した表示素子と、表示素子の前方に設けられた複数のマイクロレンズを有するマイクロレンズアレイと、複数の色の副画素からの光束の進行方向を変えてマイクロレンズを介して略同一の位置に結像する光学素子と、を備える。
本発明の第２の態様によると、第１の態様の立体映像表示装置は、光学素子は、複数のマイクロレンズと一体に形成される。
本発明の第３の態様によると、第２の態様の立体映像表示装置は、光学素子は、複数のマイクロレンズの裏面に形成された複数のプリズムである。
本発明の第４の態様によると、第２の態様の立体映像表示装置は、光学素子は、各々が偏心配置された複数のマイクロレンズである。
本発明の第５の態様によると、第２の態様の立体映像表示装置は、光学素子は、各々が偏心配置された複数のマイクロレンズであり、複数のマイクロレンズの各々は、フレネルレンズである。
本発明の第６の態様によると、第５の態様の立体映像表示装置は、複数のマイクロレンズの各々は、球面レンズとプリズムとの合成非球面のフレネルレンズである。
本発明の第７の態様によると、第１〜５のいずれか一態様の立体映像表示装置は、複数のマイクロレンズの各々は、非球面レンズである。
本発明の第８の態様によると、第１〜６のいずれか一態様の立体映像表示装置は、光学素子を表示面の近傍に設けた。
本発明の第９の態様によると、第２の態様の立体映像表示装置は、光学素子は、複数のマイクロレンズの裏面に形成された回折光学素子である。
【発明の効果】
【０００６】
本発明によれば、色モアレの発生を抑え、明瞭な三次元画像を観察することができる。
【図面の簡単な説明】
【０００７】
【図１】本発明の第１の実施の形態に係る立体映像表示装置の構成を示すブロック図である。
【図２】液晶パネル１１０の表示面を模式的に示す図である。
【図３】液晶パネル１１０およびマイクロレンズアレイ１２０の斜視図である。
【図４】液晶パネル１１０とマイクロレンズアレイ１２０を側面から見た模式図である。
【図５】液晶パネル１１０とマイクロレンズアレイ１２０を側面から見た模式図である。
【図６】液晶パネル１１０とマイクロレンズアレイ１２０の模式図である。
【発明を実施するための形態】
【０００８】
（第１の実施の形態）
以下、図面を用いて本発明を適用したインテグラルフォトグラフィ方式の立体映像表示装置を説明する。図１は、本発明の第１の実施の形態に係る立体映像表示装置の構成を示すブロック図である。立体映像表示装置１００は、液晶パネル１１０と、液晶パネル１１０の表示面の前方に設置されたマイクロレンズアレイ１２０と、液晶パネル１１０の表示内容を制御する制御回路１３０とを備える。
【０００９】
図２は、液晶パネル１１０の表示面を模式的に示す図である。液晶パネル１１０の表示面にはカラーフィルタが配置され、カラーフィルタの後側には液晶層が配置されている。液晶層の後側に配置されたバックライトユニットが、液晶層に向けて光を照射すると、この光は液晶層およびカラーフィルタを通過して表示面から出射する。
【００１０】
液晶層は矩形形状を有する多数の小さな領域（サブピクセル）１１２、１１３、１１４に格子状に区切られている。これら多数のサブピクセル１１２〜１１４には不図示の透明電極が配置されている。制御回路１３０は、個々のサブピクセル１１２〜１１４ごとに、不図示の透明電極から液晶層に印加される電圧を制御することにより、これら多数のサブピクセル１１２〜１１４を通過する光量をそれぞれ独立に制御することができる。カラーフィルタには、これらのサブピクセル１１２〜１１４に対応するように、赤（Ｒ）、緑（Ｇ）、青（Ｂ）の３色の領域が規則的に多数設けられている。Ｒ、Ｇ、Ｂの３つのサブピクセル１１２〜１１４が１組となって１つのピクセル（表示画素）１１１を構成する。
【００１１】
図３は、液晶パネル１１０およびマイクロレンズアレイ１２０の斜視図である。マイクロレンズアレイ１２０は、二次元状に配列された多数のマイクロレンズ１２１を有する。液晶パネル１１０は、マイクロレンズ１２１の焦点位置近傍に表示面が位置するように配置されている。また、図３では表示画素１１１を１つだけ図示しているが、実際には図２に示したように液晶パネル１１０の表示面には多数の表示画素１１１が配列されており、１つのマイクロレンズ１２１が被覆する表示面上の領域には、複数の表示画素１１１が存在している。
【００１２】
制御回路１３０は、液晶パネル１１０に、例えばマイクロレンズアレイ１２０を介して撮影した画像を表示させる。液晶パネル１１０に表示されたこの画像を、観察者がマイクロレンズアレイ１２０を介して観察すると、観察者は三次元の立体画像を視認することができる。このような三次元画像の閲覧方式は、インテグラルフォトグラフィ方式として周知である。
【００１３】
ところで、図２に示した液晶パネル１１０のように、規則的に配列されたサブピクセルを有する表示デバイスをインテグラルフォトグラフィ方式に利用すると、観察者からは明瞭な三次元画像を視認できないという問題がある。具体的には、赤、緑、青の３つの像が分離して見えたり、あるいは色モアレが乗った見づらい画像となる等の現象が発生する。
【００１４】
通常、液晶パネル１１０の表示面に配列されたサブピクセル１１２〜１１４は、表示面を直接観察する際に、赤、緑、青の各色が混ざって視認されるよう、十分小さく形成される（例えば、１つのサブピクセルの幅を０．１ミリメートル未満に形成する）。これにより、３つのサブピクセル１１２〜１１４の組が、観察者からは、赤、緑、青の各色が混ざった１つの画素として視認される。他方、インテグラルフォトグラフィ方式の立体映像表示装置では、観察者はこのような表示面をマイクロレンズアレイ１２０（多数のマイクロレンズ１２１）により拡大して視認することになる。従って、各色が混ざらず分離して認識されてしまい、上述したように明瞭な三次元画像にならない。
【００１５】
そこで本実施形態の立体映像表示装置１００では、マイクロレンズアレイ１２０の裏面（液晶パネル１１０の表示面に向き合う面）に、液晶パネル１１０の画素が有する赤、緑、青の３色のサブピクセルからの光束が、マイクロレンズ１２１を介して略同一の位置に結像されるよう、３色のサブピクセルからの光束を集光するプリズムを設けた。以下、このプリズムについて詳述する。
【００１６】
図４は、液晶パネル１１０とマイクロレンズアレイ１２０を側面から見た模式図である。以下の説明において、マイクロレンズアレイ１２０の液晶パネル１１０に相対する面を裏面と呼び、裏面と反対の、観察者が視認する面を表面と呼ぶ。
【００１７】
マイクロレンズアレイ１２０の表面には、多数のマイクロレンズ１２１が配置されており、これらのマイクロレンズ１２１の裏面には、それぞれプリズム１２２が形成されている。このプリズム１２２は、液晶パネル１１０の表示面に存在する特定の表示画素１１１について、その表示画素１１１を構成する赤のサブピクセル１１２からの光束と、緑のサブピクセル１１３からの光束と、青のサブピクセル１１４からの光束が、観察者側において略同一の位置に結像されるように、これら３色のサブピクセルからの光束を波長域ごとに異なる方向に分光する（一箇所に集光する）ように構成されている。つまり、観察者から見ると、１つの表示画素１１１を構成する赤のサブピクセル１１２と、緑のサブピクセル１１３と、青のサブピクセル１１４が、当該表示画素１１１に対応する位置に重なり合って存在するように見える。換言すれば、赤、緑、青の各色が混ざり合って見える。
【００１８】
このように、マイクロレンズアレイ１２０の裏面にプリズム１２２を構成することで、赤、緑、青の３つの像が分離して見えたり、あるいは色モアレが乗った見づらい画像となったりする現象を回避することができ、明瞭な三次元画像を得ることができる。
【００１９】
上述した第１の実施の形態による立体映像表示装置によれば、次の作用効果が得られる。
（１）インテグラルフォトグラフィ方式の立体映像表示装置１００は、それぞれが複数の色のサブピクセル１１２〜１１４を有する複数の表示画素１１１を表示面上に二次元状に配列した液晶パネル１１０と、表示面と並行に且つ表示面の前方に二次元状に配列された複数のマイクロレンズ１２１を有するマイクロレンズアレイ１２０とを備える。ここで、複数の表示画素１１１の各々について、当該表示画素１１１が有する複数の色のサブピクセル１１２〜１１４からの光束が、複数のマイクロレンズ１２１を介して略同一の位置に結像されるよう、複数の色のサブピクセル１１２〜１１４からの光束を集光するプリズム１２２を表示面の前方に設けた。このようにしたので、色モアレの発生を抑え、明瞭な三次元画像を観察することができる。
【００２０】
（２）プリズム１２２は、マイクロレンズアレイ１２０の裏面に、複数のマイクロレンズ１２１と一体に形成される。このようにしたので、プリズム１２２とマイクロレンズ１２１を別々に形成する場合に比べ、アライメントの調整等を行う必要が無く、製作コストを低減することができる。
【００２１】
（３）プリズム１２２は、液晶パネル１１０の表示面の近傍に設けられる。このようにしたので、プリズム１２２を小型化することが可能になる。
【００２２】
（第２の実施の形態）
以下、図面を用いて、本発明の第２の実施の形態である立体映像表示装置について説明する。なお、第１の実施の形態と同一の箇所には第１の実施の形態と同一の符号を付し、説明を省略する。
【００２３】
図５は、液晶パネル１１０とマイクロレンズアレイ１２０を側面から見た模式図である。本実施形態のマイクロレンズアレイ１２０は、裏面にプリズム１２２が形成されておらず、その代わりに、表面に偏心させたマイクロレンズ１２３を配置している。このように、マイクロレンズ１２３を偏心させることで、マイクロレンズ１２３の材質の色分散により色収差が発生し、第１の実施の形態におけるプリズム１２２と同様に、サブピクセル１１２〜１１４からの光束が一箇所に集光される。つまり、観察者からは、赤、緑、青の各色が混ざり合って見える。
【００２４】
上述した第２の実施の形態による立体映像表示装置によれば、次の作用効果が得られる。
（１）複数の表示画素１１１の各々について、当該表示画素１１１が有する複数の色のサブピクセル１１２〜１１４からの光束が、複数のマイクロレンズ１２１を介して略同一の位置に結像されるよう、複数の色のサブピクセル１１２〜１１４からの光束を集光させる、各々が偏心配置された複数のマイクロレンズ１２３を設けた。このようにしたので、マイクロレンズアレイ１２０の加工が容易になる。
【００２５】
（第３の実施の形態）
以下、図面を用いて、本発明の第３の実施の形態である立体映像表示装置について説明する。なお、第１の実施の形態と同一の箇所には第１の実施の形態と同一の符号を付し、説明を省略する。
【００２６】
図６（ａ）は、液晶パネル１１０とマイクロレンズアレイ１２０を側面から見た模式図である。本実施形態のマイクロレンズアレイ１２０は、第２の実施の形態と同様に、裏面にプリズム１２２が形成されていない。また、マイクロレンズアレイ１２０の表面には、図５に示したマイクロレンズ１２３と略同等の光学特性を有するフレネルレンズ１２４を配置している。図６（ｂ）は、マイクロレンズアレイ１２０の表面を観察者側から見た模式図であり、フレネルレンズ１２４が配列されている様子を示している。
【００２７】
上述した第３の実施の形態による立体映像表示装置によれば、次の作用効果が得られる。
（１）複数の表示画素１１１の各々について、当該表示画素１１１が有する複数の色のサブピクセル１１２〜１１４の像が、複数のマイクロレンズ１２１を介して略同一の位置に結像されるよう、複数の色のサブピクセル１１２〜１１４からの光束を集光させる、各々が偏心配置された複数のマイクロレンズであるフレネルレンズ１２４を設けた。このようにしたので、マイクロレンズアレイ１２０を薄型化することができる。
【００２８】
次のような変形も本発明の範囲内であり、変形例の一つ、もしくは複数を上述の実施形態と組み合わせることも可能である。
【００２９】
（変形例１）
第３の実施の形態において、マイクロレンズアレイ１２０の表面に形成される複数のマイクロレンズの各々を、球面レンズとプリズムとの合成非球面のフレネルレンズとしてもよい。また、第１および第２の実施の形態において、マイクロレンズアレイ１２０の表面に形成される複数のマイクロレンズの各々を、非球面レンズとすることもできる。
【００３０】
（変形例２）
第１の実施の形態において、プリズム１２２とマイクロレンズアレイ１２０とを分離してもよい。例えば、液晶パネル１１０の表示面上にプリズム１２２を形成してもよい。また、個々のプリズム１２２の大きさは、必ずしも個々のマイクロレンズ１２１に対応する大きさでなくてもよい。例えば、１つのプリズム１２２を１つのマイクロレンズ１２１より大きくしてもよい。
【００３１】
（変形例３）
上述した各実施形態では、表示デバイスを液晶パネル１１０としていた。本発明はこのような実施形態に限定されない。例えば有機エレクトロルミネッセンス（有機ＥＬ）を利用した表示デバイスなど、１つのピクセルが複数の色のサブピクセルから構成される表示デバイスであれば、どのような表示デバイスを用いる立体映像表示装置にも本発明を適用することができる。また、複数のサブピクセルの配列、形状、数量、および色は、図２に示すものに限定されず、これ以外の配列（例えばデルタ配列など）、形状（例えばハニカム状など）、数量（例えば４つ、５つなど）、色（例えば赤、緑、青、黄の４色など）により構成されたサブピクセルを有する表示デバイスに本発明を適用することも可能である。
【００３２】
（変形例４）
上述した各実施の形態において、マイクロレンズアレイ１２０の表面と裏面とを入れ替えてもよい。例えば図４において、液晶パネル１１０の表示面に対向する面にマイクロレンズ１２１を配列し、観察者に対向する面にプリズム１２２を配列してもよい。図５、図６についても同様に、マイクロレンズアレイ１２０の表面と裏面とを逆にしてもよい。
【００３３】
（変形例５）
上述した各実施の形態においてはプリズムにより混色を行っていたが、プリズムの代わりに適切に設計した回折光学素子を配置して混色を行う方式としてもよい。
【００３４】
本発明の特徴を損なわない限り、本発明は上記実施の形態に限定されるものではなく、本発明の技術的思想の範囲内で考えられるその他の形態についても、本発明の範囲内に含まれる。
【００３５】
次の優先権基礎出願の開示内容は引用文としてここに組み込まれる。
日本国特許出願２０１２年第１１１５８１号（２０１２年５月１５日出願）
【符号の説明】
【００３６】
１００…立体映像表示装置、１１０…液晶パネル、１１１…ピクセル（表示画素）、１１２、１１３、１１４…サブピクセル、１２０…マイクロレンズアレイ、１２１、１２３…マイクロレンズ、１２２…プリズム、１２４…フレネルレンズ
【図１】
2013172233.tif 000003
【図２】
2013172233.tif 000004
【図３】
2013172233.tif 000005
【図４】
2013172233.tif 000006
【図５】
2013172233.tif 000007
【図６】
2013172233.tif 000008
【国際調査報告】
2013172233.tif 000009
2013172233.tif 000010
2013172233.tif 000011
2013172233.tif 000012